(57)【要約】【課題】着信後にＦＡＸの受信が行われない場合に、電力消費量をより削減することが可能なファクシミリ装置を提供する。【解決手段】本発明に係るファクシミリ装置が搭載されたＭＦＰ１は、ＰＳＴＮ９４から受信された呼出信号を検出する呼出信号検出回路２２と、ＰＳＴＮ９４を介して受信されたＣＮＧ信号の検出を行うＣＮＧ検出部４１を有するモデム１９と、モデム１９による復調によって得られたＦＡＸデータを印刷するプリンタ部１１と、自機内の通電を制御する通電制御部５２とを備える。通電制御部５２は、モデム１９及びプリンタ部１１に対する通電が停止されている状態で呼出信号が検出された場合に、モデム１９に対する通電を開始し、通電が開始されたモデム１９のＣＮＧ検出部４１によってＣＮＧ信号が検出された場合に、プリンタ部１１に対する通電を開始する。【選択図】図２
2012104924.tif 000002
【特許請求の範囲】
【請求項１】
電話回線網を介して受信されたファクシミリ信号の復調を行うモデムと、
前記モデムによる復調によって得られたファクシミリデータを印刷する印刷手段と、
前記電話回線網を介して受信されたＣＮＧ信号の検出を行うＣＮＧ信号検出手段と、
自機内の通電を制御する通電制御手段と、
を備え、
前記通電制御手段は、前記印刷手段に対する通電が停止されている状態で、前記ＣＮＧ信号検出手段によってＣＮＧ信号が検出された場合に、前記印刷手段に対する通電を開始することを特徴とするファクシミリ装置。
【請求項２】
前記電話回線網から受信された呼出信号を検出する呼出信号検出手段を備え、
前記モデムは、前記ＣＮＧ信号検出手段を有し、
前記通電制御手段は、
前記モデム及び前記印刷手段に対する通電が停止されている状態で、前記呼出信号検出手段によって呼出信号が検出された場合に、前記モデムに対する通電を開始し、
通電が開始された前記モデムのＣＮＧ信号検出手段によってＣＮＧ信号が検出された場合に、前記印刷手段に対する通電を開始することを特徴とする請求項１に記載のファクシミリ装置。
【請求項３】
電話回線の確立後に通話とファクシミリの受信とを切替可能な電話／ＦＡＸモード、及び、電話回線の確立後にファクシミリの受信動作に移行するＦＡＸモードを含む複数の着信モードのうち、いずれかの着信モードに設定する着信モード設定手段を備え、
前記通電制御手段は、
前記着信モードが前記電話／ＦＡＸモードに設定され、且つ、前記モデム及び前記印刷手段に対する通電が停止されている状態で、呼出信号が検出された場合に、前記モデムに対する通電を開始し、通電が開始された前記モデムのＣＮＧ信号検出手段によってＣＮＧ信号が検出された場合に、前記印刷手段に対する通電を開始し、
前記着信モードが前記ＦＡＸモードに設定され、且つ、前記モデム及び前記印刷手段に対する通電が停止されている状態で、呼出信号が検出された場合に、前記モデム及び前記印刷手段に対する通電を開始することを特徴とする請求項２に記載のファクシミリ装置。
【請求項４】
電話機を前記電話回線網と接続する接続手段と、
前記電話機のオンフック及びオフフックを検出するフック検出手段とを備え、
前記通電制御手段は、前記モデムに対する通電が停止されている状態で前記呼出信号検出手段によって呼出信号が検出され、前記フック検出手段によって前記電話機のオフフックが検出された後、オンフックが検出された場合に、前記モデムへの通電を停止することを特徴とする請求項２又は３に記載のファクシミリ装置。
【発明の詳細な説明】
【技術分野】
【０００１】
本発明は、ファクシミリ装置に関する。
【背景技術】
【０００２】
近年、ＣＯ２排出量削減などの観点から、電子機器の省電力化が図られている。ファクシミリ装置については、例えば待機時にモデム及びプリンタ部に対する通電を停止して省エネルギー状態に移行することにより、省電力化を図ったものがある（下記特許文献１参照）。この特許文献１に記載されたファクシミリ装置では、ＦＡＸ（ファクシミリ）の自動受信が行われるように設定されている場合、省エネルギー状態において着信があると、省エネルギー状態が解除され、モデムとプリンタ部に対する通電が開始される。そして、ＦＡＸデータの受信が自動的に開始され、受信されたＦＡＸデータがプリンタ部によって印刷される。
【先行技術文献】
【特許文献】
【０００３】
【特許文献１】特開平９−５５８１２号公報
【発明の概要】
【発明が解決しようとする課題】
【０００４】
ところで、ファクシミリ装置では、着信の後にＦＡＸの受信が必ず行われるわけではない。相手が通話を行うために発呼した場合は、着信後に通話が行われ、ＦＡＸの受信は行われない。従って、上記特許文献１のように、着信があったときにプリンタ部に対する通電が開始されると、ＦＡＸの受信が行われない場合にもプリンタ部に通電が開始される。すなわち、プリンタ部の必要がない場合にも、消費電力が比較的大きいプリンタ部に電力が供給されるので、無駄な電力が消費されることになる。
【０００５】
そこで本発明は、上記問題点を解消するためになされたものであり、着信後にＦＡＸの受信が行われない場合に、電力消費量をより削減することが可能なファクシミリ装置を提供することを目的とする。
【課題を解決するための手段】
【０００６】
本発明に係るファクシミリ装置は、電話回線網を介して受信されたファクシミリ信号の復調を行うモデムと、モデムによる復調によって得られたファクシミリデータを印刷する印刷手段と、電話回線網を介して受信されたＣＮＧ信号の検出を行うＣＮＧ信号検出手段と、自機内の通電を制御する通電制御手段とを備え、通電制御手段は、印刷手段に対する通電が停止されている状態で、ＣＮＧ信号検出手段によってＣＮＧ信号が検出された場合に、印刷手段に対する通電を開始することを特徴とする。
【０００７】
本発明に係るファクシミリ装置では、電話回線網を介して受信されたファクシミリ信号がモデムによって復調され、得られたファクシミリデータが印刷される。また、印刷手段に対する通電が停止されている状態で、ＣＮＧ信号が検出された場合、印刷手段に対する通電が開始される。ＣＮＧ信号は、ファクシミリデータの送信に先立って送信されるので、ＣＮＧ信号が検出された場合に印刷手段に対する通電が開始されることにより、ＦＡＸの受信が行われることが確実になった後に、印刷手段を起動することができる。また、ＣＮＧ信号が検出されなければ印刷手段に対して通電が開始されないので、着信後に通話が行われる場合等、ＦＡＸの受信が行われない場合には、印刷手段に対して通電が開始されない。従って、着信後にＦＡＸの受信が行われない場合に、電力消費量をより削減することが可能となる。
【０００８】
本発明に係るファクシミリ装置では、電話回線網から受信された呼出信号を検出する呼出信号検出手段を備え、モデムが、ＣＮＧ信号検出手段を有し、通電制御手段が、モデム及び印刷手段に対する通電が停止されている状態で、呼出信号検出手段によって呼出信号が検出された場合に、モデムに対する通電を開始し、通電が開始されたモデムのＣＮＧ信号検出手段によってＣＮＧ信号が検出された場合に、印刷手段に対する通電を開始することが好ましい。
【０００９】
この構成によれば、モデムがＣＮＧ信号を検出する機能を有し、モデム及び印刷手段に対する通電が停止されている状態で呼出信号が検出されたときに、モデムに対する通電が開始される。これにより、着信前は、モデム及び印刷手段による無駄な電力の消費を防止し、着信後は、モデムを起動させてＣＮＧ信号の検出が可能な状態にすることができる。また、着信した段階では印刷手段に通電しないので、印刷手段による無駄な電力の消費を防止することができる。その後、ＣＮＧ信号が検出された場合に印刷手段に対する通電が開始されるので、ＦＡＸの受信が行われることが確実になった後に印刷手段を起動することができる。
【００１０】
本発明に係るファクシミリ装置では、電話回線の確立後に通話とファクシミリの受信とを切替可能な電話／ＦＡＸモード、及び、電話回線の確立後にファクシミリの受信動作に移行するＦＡＸモードを含む複数の着信モードのうち、いずれかの着信モードに設定する着信モード設定手段を備え、通電制御手段が、着信モードが電話／ＦＡＸモードに設定され、且つ、モデム及び印刷手段に対する通電が停止されている状態で、呼出信号が検出された場合に、モデムに対する通電を開始し、通電が開始されたモデムのＣＮＧ信号検出手段によってＣＮＧ信号が検出された場合に、印刷手段に対する通電を開始し、着信モードがＦＡＸモードに設定され、且つ、モデム及び印刷手段に対する通電が停止されている状態で、呼出信号が検出された場合に、モデム及び印刷手段に対する通電を開始することが好ましい。
【００１１】
この構成によれば、電話／ＦＡＸモードに設定されている場合、ＣＮＧ信号が検出されなければ印刷手段に対して通電が開始されない。これにより、電話回線の確立後に通話が開始された場合等、ＦＡＸの受信が行われなかった場合に、電力消費量をより削減することができる。一方、ＦＡＸモードに設定されている場合は、電話回線が確立した時には、ファクシミリの受信動作に移行し、通話に切り替えられることはない。そこで、ＦＡＸモードに設定されている際には、呼出信号が検出された場合にモデム及び印刷手段に対する通電を開始することにより、印刷手段のより早い起動を実現することができる。
【００１２】
本発明に係るファクシミリ装置では、電話機を電話回線網と接続する接続手段と、電話機のオンフック及びオフフックを検出するフック検出手段とを備え、通電制御手段が、モデムに対する通電が停止されている状態で呼出信号検出手段によって呼出信号が検出され、フック検出手段によって電話機のオフフックが検出された後、オンフックが検出された場合に、モデムへの通電を停止することが好ましい。
【００１３】
この構成によれば、電話回線網と接続される電話機のオンフックとオフフックが検出されるので、ユーザが電話機の受話器を取ると、オフフックが検出され、受話器を戻すと、オンフックが検出される。また、モデムに対する通電が停止された状態で呼出信号が検出された後、電話機のオフフックが検出され、当該検出の後に、オンフックが検出された場合に、モデムへの通電が停止される。このため、着信後に電話機の受話器が取られて、通話が行われ、受話器が戻されると、電話回線の接続が切れた際に、モデムへの通電が停止される。従って、通話が終了した後に、モデムへの通電を再び停止することができる。これにより、電力消費量をより削減することができる。
【発明の効果】
【００１４】
本発明のファクシミリ装置によれば、着信後にＦＡＸの受信が行われない場合に、電力消費量をより削減することが可能となる。
【図面の簡単な説明】
【００１５】
【図１】実施形態に係るファクシミリ装置が搭載されたＭＦＰの構成を示すブロック図である。
【図２】ＭＦＰが備えるＣＰＵ、モデム、及びＮＣＵの構成を説明するための図である。
【図３】ＦＡＸモードについて説明するための図である。
【図４】電話／ＦＡＸモードについて説明するための図である。
【図５】ＭＦＰが遷移する電力モードについて説明するための図である。
【図６】スーパースリープモード時に呼出信号が検出された場合の処理を示すフロー図である。
【発明を実施するための形態】
【００１６】
以下、図面を参照して本発明の好適な実施形態について詳細に説明する。まず、図１を参照して、実施形態に係るファクシミリ装置が搭載されたＭＦＰ（Ｍｕｌｔｉｆｕｎｃｔｉｏｎ  Ｐｅｒｉｐｈｅｒａｌ）１の構成について説明する。図１は、ＭＦＰ１の構成を示すブロック図である。
【００１７】
ＭＦＰ１は、プリント機能、スキャン機能、コピー機能、ＦＡＸ（ファクシミリ）機能、及び、ＩＦＡＸ（インターネットＦＡＸ）機能を備えたネットワーク複合機である。このＭＦＰ１は、利用されていない状態では、省電力化のために、モデム１９及びプリンタ部１１等に対する通電を停止している。この状態で着信があった場合に、ＭＦＰ１は、まずモデム１９を起動させる。そして、ＭＦＰ１は、起動したモデム１９によってＣＮＧ（ＣａｌｌｉＮＧ）信号が検出された場合、プリンタ部１１を起動する。
【００１８】
図１に示されるように、ＭＦＰ１は、スキャナ部１０、プリンタ部１１、ＳＤＲＡＭ１２、統合チップセット１３、操作パネル１４、ＮＷ（ネットワーク）ボード１５、ＣＰＵ１６、フラッシュＲＯＭ１７、ＳＲＡＭ１８、モデム１９、及びＮＣＵ２０を備えている。
【００１９】
スキャナ部１０は、例えばＣＣＤ等によって構成され、紙文書等を光学的に読み取って画像データを生成する。ＦＡＸの送信が行われる際には、スキャナ部１０によって生成された画像データがＦＡＸデータとして送信される。プリンタ部１１は、例えば電子写真方式の画像形成装置であり、各種の画像データを印刷する。また、プリンタ部１１は、ＦＡＸの受信が行われた際には、モデムにより復調されたＦＡＸデータを印刷する。このプリンタ部１１は、特許請求の範囲に記載の印刷手段として機能する。
【００２０】
ＳＤＲＡＭ１２は、画像メモリとして機能し、ＦＡＸデータを含む各種の画像データを記憶する。統合チップセット１３は、スキャナ部１０、プリンタ部１１、及びＳＤＲＡＭ１２と、データの入出力が可能に接続されている。また、統合チップセット１３は、システムバス９１を介してＣＰＵ１６とデータの入出力が可能に構成されている。この統合チップセット１３は、ＳＤＲＡＭ１２のメモリコントローラとして機能するブロック、ＦＡＸデータを含む各種の画像データに対する画像処理を実行するブロック等を含んで構成されている。操作パネル１４は、操作ボタンとＬＣＤ（Ｌｉｑｕｉｄ  Ｃｒｙｓｔａｌ  Ｄｉｓｐｌａｙ）とを有し、ユーザは、ＬＣＤに表示された情報を参照しながら操作ボタンを利用してＭＦＰ１に対する操作を行うことができる。
【００２１】
ＮＷボード１５には、ＰＨＹ回路及びネットワーク処理を行うためのＣＰＵ等が搭載され、ＬＡＮ（Ｌｏｃａｌ  Ａｒｅａ  Ｎｅｔｗｏｒｋ）９２を介したデータの送受信を行うためのネットワークインターフェースとして機能する。このＮＷボード１４は、ローカルバス９３を介して統合チップセット１３と接続されている。ＮＷボード１４は、統合チップセット１３から出力されるＩＦＡＸ用の画像データを電子メールに添付してＬＡＮ９２を介して送信する。また、ＮＷボード１４は、ＬＡＮ９２から送信された電子メールを受信し、受信した電子メールに添付された画像データを統合チップセット１３へ出力する。
【００２２】
ＣＰＵ１６、フラッシュＲＯＭ１７、ＳＲＡＭ１８、及び、モデム１９は、システムバス９１を介してデータの入出力が可能に接続されている。ＣＰＵ１６は、ＤＲＡＭ等にロードされたプログラムを読み込んで、各構成要素を統合的に制御する。またＣＰＵ１６は、ＭＦＰ１における消費電力量を小さくするために、後述する省エネ制御を行う。ＣＰＵ１６が実行するプログラムは、フラッシュＲＯＭ１７に記憶されている。また、ＣＰＵ１６が処理を行うために必要な各種の設定データ、エラー情報等は、ＳＲＡＭ１８によって記憶されている。
【００２３】
モデム１９は、ＦＡＸの送信時には、入力したＦＡＸデータを変調し、ＮＣＵ２０へ出力する。モデム１９は、ＦＡＸの受信時には、ＮＣＵ２０から出力されたＦＡＸ信号の復調を行い、ＦＡＸデータを取得する。得られたＦＡＸデータは、プリンタ部１１によって印刷される。ＮＣＵ（Ｎｅｔｗｏｒｋ  Ｃｏｎｔｒｏｌ  Ｕｎｉｔ）２０は、モデム１９とＰＳＴＮ（公衆電話回線網；Ｐｕｂｌｉｃ  Ｓｗｉｔｃｈｅｄ  Ｔｅｌｅｐｈｏｎｅ  Ｎｅｔｗｏｒｋ）９４との接続を制御する。また、ＮＣＵ２０は、付属電話機３とＰＳＴＮ９４との接続を制御する。
【００２４】
図２を参照して、ＣＰＵ１６、モデム１９、及びＮＣＵ２０の構成についてより詳細に説明する。図２は、ＭＦＰ１が備えるＣＰＵ１６、モデム１９、及びＮＣＵ２０の構成を説明するための図である。
【００２５】
モデム１９は、ＣＮＧ検出部４１を有している。ＣＮＧ検出部４１は、ＰＳＴＮ９４を介して受信されたＣＮＧ信号の検出を行う。ＣＮＧ検出部４１は、ＣＮＧ信号を検出した時、ＣＮＧ信号を検出した旨の信号をＣＰＵ１６へ出力する。このＣＮＧ信号は、相手がＦＡＸの送信を行う際に、ＦＡＸデータの送信に先立って送信される信号である。ＭＦＰ１において、このＣＮＧ信号が検出された場合は、相手がＦＡＸであることを認識することができる。なお、ＣＮＧ検出部４１は、特許請求の範囲に記載のＣＮＧ信号検出手段として機能する。
【００２６】
ＮＣＵ２０は、ＡＦＥ（Ａｎａｌｏｇ  Ｆｒｏｎｔ  Ｅｎｄ）２１、呼出信号検出回路２２、擬似信号発生回路２３、フック検出部２４、及び、接続回路２５を備えている。
【００２７】
ＡＦＥ２１は、ＦＡＸの受信時には、ＰＳＴＮ９４から変圧器を介して入力されたＦＡＸ信号を内蔵するＡ／Ｄ変換器によってアナログ信号からデジタル信号に変換してモデム１９へ出力する。また、ＡＦＥ２１は、ＦＡＸの送信時には、モデム１９から出力されたデジタル信号をＡ／Ｄ変換器によってアナログ信号に変換してＰＳＴＮ９４へ出力する。
【００２８】
呼出信号検出回路２２は、ＰＳＴＮ９４から受信された呼出信号を検出する回路である。呼出信号検出回路２２は、呼出信号を検出した時、ＣＰＵ１６へ割り込み信号を出力する。なお、この呼出信号検出回路２２は、特許請求の範囲に記載の呼出信号検出手段として機能する。
【００２９】
擬似信号発生回路２３は、電話回線の確立後、疑似的な呼出信号を付属電話機３へ出力する。電話回線が確立した後は、ＰＳＴＮ９４から送信される呼出信号が途絶えるが、疑似的な呼出信号が付属電話機３へ出力されることにより、付属電話機３の呼出音を鳴らすことができる。
【００３０】
フック検出部２４は、付属電話機３のオンフック及びオフフックを検出する。付属電話機３の受話器が取られた時、付属電話機３のフックスイッチ３１がオンとなり、フック検出部２４は、受話器のオフフックを検出する。この時、フック検出部２４からＣＰＵ１６へ出力されるフックスイッチ出力信号が立ち上がる。その後、受話器が付属電話機３に戻された時、付属電話機のフックスイッチ３１がオフとなり、フック検出部２４は、受話器のオンフックを検出する。この時、フックスイッチ出力信号が立ち下がる。
【００３１】
接続回路２５は、第１のスイッチ２６と第２のスイッチ２７とを有している。第１のスイッチ２６は、ＣＰＵ１６による制御に基づいて、ＰＳＴＮ９４に対する接続をＡＦＥ２１と呼出信号検出回路２２が接続された回路２８との間で切り替える。第２のスイッチ２７は、ＣＰＵ１６による制御に基づいて、付属電話機３に対する接続を擬似信号発生回路２３と回路２８との間で切り替える。接続回路２５は、第１のスイッチ２６及び第２のスイッチ２７を用いて、ＰＳＴＮ９４に対する接続をモデム１９と付属電話機３との間で切り替えることができる。
【００３２】
初期状態では、図２に示されるように、第１のスイッチ２６及び第２のスイッチ２７が回路２８に接続されている。すなわち、初期状態では、ＰＳＴＮ９４と付属電話機３とが回路２８を介して接続されている。このため、着信時には、ＰＳＴＮ９４から送信された呼出信号が、付属電話機３へ出力され、付属電話機３の呼出ベルが鳴動する。また、回路２８に設けられた呼出信号検出回路２２によって呼出信号が検出される。
【００３３】
その後の接続回路２５による切替は、設定された着信モードに応じて行われる。本実施形態のＭＦＰ１では、ＦＡＸモード又は電話／ＦＡＸモードに着信モードが設定される。まず、図２及び図３を参照して、ＦＡＸモードについて説明すると共に、接続回路２５の動作について説明する。図３は、ＦＡＸモードについて説明するための図である。ＦＡＸモードは、ＦＡＸ専用で自動受信するモードである。ＭＦＰ１は、ＦＡＸモードに設定されている場合、電話回線の確立後にＦＡＸの受信動作へ移行する。
【００３４】
ＭＦＰ１は、ＦＡＸモードにおいて着信があった場合、付属電話機３の呼出ベルが設定された回数だけ鳴動して、電話回線が確立した後、ＰＳＴＮ９４とモデム１９とが接続されるように第１のスイッチ２６を切り替えて、ＦＡＸの受信動作に移行する。これにより、図３に示すように、相手がＦＡＸの場合、付属電話機３の呼出ベルが設定された回数だけ鳴動した（ステップＳ１）後、ＦＡＸ信号がＡＦＥ２１へ入力され、ＦＡＸの受信が自動的に開始される（ステップＳ２）。一方、相手が電話の場合、付属電話機３の呼出ベルが鳴動中に受話器が上がると、そのまま通話が可能な状態となる（ステップＳ３）。
【００３５】
次に、図２及び図４を参照して、電話／ＦＡＸモードについて説明すると共に、接続回路２５の動作について説明する。図４は、電話／ＦＡＸモードについて説明するための図である。電話／ＦＡＸモードは、電話を優先してＦＡＸの自動受信も行うモードである。ＭＦＰ１は、電話ＦＡＸモードに設定されている場合、電話回線の確立後に通話とＦＡＸの受信とを切り替えることができる。
【００３６】
ＭＦＰ１は、電話／ＦＡＸモードにおいて着信があった場合、付属電話機３の呼出ベルが設定された回数だけ鳴動して電話回線が確立した後、第１のスイッチ２６と第２のスイッチ２７との双方を切り替える。すなわち、ＭＦＰ１は、ＰＳＴＮ９４とモデム１９とが接続されるように第１のスイッチ２６を切り替えて、モデム１９のＣＮＧ検出部４１によってＣＮＧ信号が検出可能な状態となる。また、付属電話機３と擬似信号発生回路２３とが接続されるように第２のスイッチ２７を切り替えるので、擬似信号発生回路２３から出力される擬似呼出信号により、電話回線が確立した後も付属電話機３の呼出ベルを鳴動させることができる。
【００３７】
そして、ＣＮＧ信号が検出された場合、すなわち、相手がＦＡＸである場合は、そのままＦＡＸの受信動作に移行する。これにより、図４に示すように、相手がＦＡＸの場合、付属電話機３の呼出ベルが設定された回数だけ鳴動した（ステップＳ１１）後、ＦＡＸ信号がＡＦＥ２１へ入力され、ＦＡＸの受信が自動的に開始される（ステップＳ１２）。
【００３８】
一方、相手が電話の場合、受信状態となった後、擬似呼出信号によって呼出ベルが鳴動し（ステップＳ１３）、呼出ベルが鳴動中に受話器が取られると、オフフックがフック検出部２４によって検出される。そして、ＰＳＴＮ９４と回路２８が接続されるように第１のスイッチ２６が切り替わり、回路２８と付属電話機３が接続されるように第２のスイッチ２７が切り替わる。すなわち、接続回路２５は、擬似呼出信号が付属電話機３へ出力されている間に、オフフックが検出された場合、ＰＳＴＮ９４に対する接続を付属電話機３に切り替える。これにより、通話が可能な状態となる（ステップＳ１４）。
【００３９】
従って、電話／ＦＡＸモードでは、電話回線が確立した後、モデム１９によるＣＮＧ信号の検出が可能な状態となる一方で、付属電話機３の呼出音を鳴動させることができる。これにより、電話回線が確立した時点では、通話とＦＡＸとのいずれが行われるか不明であるが、相手に合わせて通話とＦＡＸとを切り替えることができる。
【００４０】
図２に戻って、ＣＰＵ１６は、着信モード設定部５１及び通電制御部５２を備える。着信モード設定部５１は、着信モードを上述したＦＡＸモード又は電話／ＦＡＸモードに設定する。この着信モードの設定は、例えば、ユーザの操作に応じて行われる。なお、この着信モード設定部５１は、特許請求の範囲に記載の着信モード設定手段として機能する。
【００４１】
通電制御部５２は、ＭＦＰ１の利用状況等に基づいて決定された電力モードに応じて、電源部５３を制御することにより、ＭＦＰ１の構成要素に対する通電を制御する。この通電制御部５２は、特許請求の範囲に記載の通電制御手段として機能する。図５を参照して、電力モードについて説明する。図５は、ＭＦＰ１が遷移する電力モードについて説明するための図である。ＭＦＰ１は、電源がオンのときには、図５に示される３つの電力モードのいずれかに設定される。３つの電力モードは、レディモード、ディープスリープモード、及びスーパースリープモードである。
【００４２】
レディモードは、プリント、コピー、ＦＡＸ、ＩＦＡＸを含むいずれの処理も可能な状態であり、上述した全ての構成要素に電源部５３から電力が供給されている。ＭＦＰ１は、電源がオンになると、レディモードに移行する。そして、ＭＦＰ１は、レディモードにおいて、ＦＡＸの受信、プリントジョブの要求等が一定時間なかった場合に、ディープスリープモードに移行する。
【００４３】
ディープスリープモードは、スキャナ部１０及びプリンタ部１１に対する通電が停止され、それ以外の構成要素には電力が供給されている状態である。ディープスリープモードでは、ＨＴＴＰ応答、画像処理等を行うことができる。ＭＦＰ１は、ディープスリープモードにおいて、ＦＡＸの受信、プリントジョブの要求等があった場合は、レディモードへ復帰する。また、ＭＦＰ１は、ディープスリープモードにおいて、ジョブの要求及びネットワークからの応答要求等が一定時間なかった場合に、スーパースリープモードに移行する。
【００４４】
スーパースリープモードは、ディープスリープモードから更に、ＳＤＲＡＭ１２、統合チップセット１３、フラッシュＲＯＭ１７、モデム１９に対する通電が停止される。また、ＮＷボード１５では、搭載されたＣＰＵに対する通電が停止される。ＮＣＵ２０では、ＡＦＥ２１、擬似呼出信号発生回路２３に対する通電が停止される。ＭＦＰ１は、スーパースリープモードにおいて、ユーザによってレディモードに復帰するための操作が行われた場合にレディモードへ復帰する。
【００４５】
なお、スーパースリープモードでは、ＮＷボード１５に搭載されたサブＣＰＵ及びＰＨＹ回路には電力が供給されている。スーパースリープモードにおいて、ＮＷボード１５に搭載されたサブＣＰＵ及びＰＨＹ回路によって処理できないパケットが検出された場合に、割り込み信号がサブＣＰＵからメインのＣＰＵ１６へ出力され、ＭＦＰ１は、ディープスリープモードへ復帰する。
【００４６】
また、スーパースリープモードでは、呼出信号検出回路２２に電力が供給されている。ＭＦＰ１は、着信モードがＦＡＸモードに設定されている場合、スーパースリープモードにおいて、ＰＳＴＮ９４を介して送信された呼出信号が、呼出信号検出回路２２によって検出された場合、ディープスリープモードを経てレディモードに復帰する。すなわち、通電制御部５１は、ＦＡＸモードに設定され、且つ、モデム１９及びプリンタ部１１に対する通電が停止されている状態で呼出信号が検出された場合に、モデム１９及びプリンタ部１１に対する通電を開始する。
【００４７】
また、ＭＦＰ１は、着信モードが電話／ＦＡＸモードに設定されている場合、スーパースリープモードにおいて、ＰＳＴＮ９４を介して送信された呼出信号が、呼出信号検出回路２２によって検出された場合、ディープスリープモードに移行する。そして、起動したモデム１９のＣＮＧ検出部４１によって、ＣＮＧ信号が検出された場合に、レディモードに復帰する。すなわち、通電制御部５１は、電話／ＦＡＸモードに設定され、且つ、モデム１９及びプリンタ部１１に対する通電が停止されている状態で、呼出信号が検出された場合に、モデム１９に対する通電を開始する。そして、当該通電が開始されたモデム１９のＣＮＧ検出部４１によってＣＮＧ信号が検出された場合に、通電制御部５１は、プリンタ部１１に対する通電を開始する。
【００４８】
また、通電制御部５２は、モデム１９に対する通電が停止された状態で呼出信号が検出された後、付属電話機３のオフフックが検出され、当該オフフックの検出後、オンフックが検出された場合に、モデム１９への通電を停止する。すなわち、着信後に、ユーザが、付属電話機３の受話器を取って、通話し、受話器を戻して、電話回線の接続が切れた際に、モデム１９への通電が停止される。これにより、ＭＦＰ１は、通話の終了後に再びスーパースリープモードに移行する。
【００４９】
引き続いて、図６を参照して、ＭＦＰ１の動作について説明すると共に、スーパースリープモード時に呼出信号が検出された場合の処理について説明する。図６は、スーパースリープモード時に呼出信号が検出された場合の処理を示すフロー図である。この処理は、主にＣＰＵ１６によって行われる。
【００５０】
ステップＳ１０１は、ＣＰＵ１６の動作が停止した状態から復帰した場合に行われる。このステップＳ１０１では、スーパースリープモードからの復帰か否かが、ＣＰＵ１６において判断される。電源がオフの状態からの復帰である場合は、本処理は終了する。一方、スーパースリープモードからの復帰である場合、ステップＳ１０２へ処理が移行する。
【００５１】
ステップＳ１０２では、呼出信号が検出され、割り込み信号が、呼出信号検出回路２２によってＣＰＵ１６へ出力されたことによる復帰か否かが判断される。ユーザによるレディモードへの復帰操作である場合は、ステップＳ１０３へ処理が移行する。ステップＳ１０３では、電力モードがレディモードへ移行し、処理が終了する。一方、呼出信号に応じて出力された割り込み信号による復帰である場合は、ステップＳ１０４へ処理が移行する。
【００５２】
ステップＳ１０４では、電力モードがスーパースリープモードからディープスリープモードへ移行する。すなわち、モデム１９に対する通電が開始される。続くステップＳ１０５では、着信モードが電話／ＦＡＸモードに設定されているか否かが判断される。ＦＡＸモードに設定されている場合は、所定回数の呼出音が鳴った後、電話回線が確立され、ステップＳ１０６へ処理が移行する。
【００５３】
ステップＳ１０６では、電力モードが、ディープスリープモードからレディモードに移行する。すなわち、着信モードがＦＡＸモードに設定された状態で、スーパースリープモードにおいて呼出信号が検出されると、電力モードは、スーパースリープモードからディープスリープモードを経て直ちにレディモードへ移行する。その後、ステップＳ１０７では、ＦＡＸの受信及び印刷が行われる。
【００５４】
一方ステップＳ１０５では、着信モードが電話／ＦＡＸモードに設定されている場合、電話回線が確立され、ステップＳ１０８へ処理が移行する。ステップＳ１０８では、ＣＮＧ信号の検出処理が、モデム１９のＣＮＧ検出部４１によって行われる。そして、ステップＳ１０９では、ＣＮＧ信号が検出されたか否かが判断される。ＣＮＧ信号が検出された場合、ステップＳ１１０へ処理が移行する。ステップＳ１１０では、電力モードがレディモードへ移行する。すなわち、プリンタ部１１に対する通電が開始される。そして、ステップＳ１１１では、ＦＡＸの受信及び印刷が行われる。
【００５５】
一方ステップＳ１０９では、ＣＮＧ信号が検出されなかった場合、ステップＳ１１２へ処理が移行する。ステップＳ１１２では、付属電話機３の呼出音が擬似呼出信号によって鳴動する。そして、ステップＳ１１３では、呼出音の鳴動中に、フック検出部２４によってオフフックが検出されたか否かが判断される。すなわち、付属電話機３の受話器が取られたか否かが判断される。呼出音が鳴動中は、オフフックが検出されるまで、ステップＳ１１３が繰り返し実行される。オフフックが検出された場合、ステップＳ１１４へ処理が移行する。
【００５６】
ステップＳ１１４では、擬似呼出信号の出力が停止され、付属電話機３の呼出音が停止する。その後、ステップＳ１１５では、オンフックが検出されたか否かが判断される。すなわち、付属電話機３の受話器が戻された否かが判断される。ステップＳ１１５は、オンフックが検出されるまで繰り返し実行される。オンフックが検出された場合、ステップＳ１１６へ処理が移行する。ステップＳ１１６では、電力モードがスーパースリープモードへ再び移行する。
【００５７】
上述したように、ＭＦＰ１は、スーパースリープモードにおいて着信があった場合、ＦＡＸの受信が行われる場合にはレディモードにまで復帰し、通話が行われる場合にはディープスリープモードへ移行する。そして、ＭＦＰ１は、通話が行われた場合は、通話終了後に、スーパースリープモードへ再び移行する。なお、ステップＳ１１３において、呼出音が鳴動中にオフフックが検出されなかった場合は、本処理を終了する。この場合、スーパースリープモードに移行してから本処理を終了してもよい。
【００５８】
以上説明した本実施形態に係るＭＦＰ１によれば、電話／ＦＡＸモードに設定され、且つ、スーパースリープモードで呼出信号が検出された場合に、モデム１９に対する通電が開始される。そして、通電が開始されたモデム１９のＣＮＧ検出部４１によってＣＮＧ信号が検出された場合に、プリンタ部１１に対する通電が開始される。このため、着信後に通話が行われる場合等、ＦＡＸの受信が行われない場合には、プリンタ部１１に対して通電が開始されない。従って、着信後にＦＡＸの受信が行われない場合に、電力消費量をより削減することが可能となる。
【００５９】
また、本実施形態に係るＭＦＰ１によれば、ＦＡＸモードに設定され、且つ、スーパースリープモードで呼出信号が検出された場合に、モデム１９及びプリンタ部１１に対する通電が開始される。これにより、ＦＡＸモードに設定されているときには、ＣＮＧ信号の検出を待たずに、プリンタ部１１のより早い起動を実現することができる。
【００６０】
さらに、本実施形態に係るＭＦＰ１によれば、スーパースリープモードで着信があった場合、着信後に、ユーザが付属電話機３の受話器を取って通話を行い、受話器を戻して、電話回線の接続が切れた際に、モデム１９への通電が停止される。すなわち、通話が終了した後に、再びスーパースリープモードに移行する。これにより、電力消費量をより削減することが可能となる。
【００６１】
なお、上記では、スーパースリープモードの状態で呼出信号が検出された場合について説明したが、ディープスリープモードの状態で呼出信号が検出された場合も、同様な処理が行われる。具体的には、電話／ＦＡＸモードに設定され、且つ、ディープスリープモードの状態で、呼出信号が検出された場合、ＣＮＧ信号が検出されるまで待機し、ＣＮＧ信号が検出されたときに、レディモードへ移行する。すなわち、プリンタ部１１に対する通電が停止されている状態でＣＮＧ信号が検出された場合に、プリンタ部１１に対する通電が開始される。この場合、着信後にＦＡＸの受信が行われない場合に、電力消費量をより削減することが可能となる。
【００６２】
以上、本発明の実施の形態について説明したが、本発明は、上記実施形態に限定されるものではなく種々の変形が可能である。例えば、上記実施形態では、電話／ＦＡＸモードに設定され、且つ、スーパースリープモードで、呼出信号が検出された場合に、ディープスリープモードへ移行することとしたが、これに限られない。例えば、呼出信号が検出された場合に、ＣＮＧ信号を検出するために必要な、ＡＦＥ２１、モデム１９のみを起動することとしてもよい。また、通電が開始されたモデム１９によってＣＮＧ信号が検出された場合に、レディモードへ移行することとしたが、スキャナ部１０に対する通電は行わなくてもよい。すなわち、ＣＮＧ信号が検出された場合に、ＦＡＸデータの印刷に必要なプリンタ部１１のみを起動することとしてもよい。
【００６３】
また、例えば、上記実施形態では、ＭＦＰ１が電話機を有しておらず、付属電話機３と接続されていることとしたが、ＭＦＰ１が電話機を有していてもよい。また、上記実施形態では、着信モードをＦＡＸモード又は電話／ＦＡＸモードに設定できることとしたが、この他、手動でＦＡＸの受信を行うモード、ＦＡＸを優先して電話も受けるモード等にも設定できるように構成されていてもよい。また、上記実施形態では、本発明のファクシミリ装置をＭＦＰに搭載した場合について説明したが、単機能のファクシミリ専用機に適用できることは言うまでもない。
【符号の説明】
【００６４】
１  ＭＦＰ
３  付属電話機
１１  プリンタ部
１９  モデム
２２  呼出信号検出回路
２３  疑似信号発生回路
２４  フック検出部
２５  接続回路
４１  ＣＮＧ検出部
５１  着信モード設定部
５２  通電制御部
９４  ＰＳＴＮ
【図１】
2012104924.tif 000003
【図２】
2012104924.tif 000004
【図３】
2012104924.tif 000005
【図４】
2012104924.tif 000006
【図５】
2012104924.tif 000007
【図６】
2012104924.tif 000008